(57)【要約】      （修正有）【課題】既存のドアに取り付けることで、設置のための大きな手間やコストをかけずに設置可能であり、また振動検知時に確実に作動することのできる振動感知によるロック解除装置、あるいはこれを備えた錠を提供する。【解決手段】ラッチバーＬ１への衝打部１１を先端に有し、スライドラッチ錠の受け金具Ｌ３内に入り込む位置までスライド移動しうる作動部材１と、作動部材１に設けられたラック歯１２ｔに歯合するピニオン歯車２１を一端側に有し、係止歯車を他端側に有した作動シャフト２と、作動シャフトを回転付勢しうるコイルばねと、バランサー４が倒れることで係止フックを係止解除させる係止解除装置を具備する。振動を感知したとき、施錠位置（Ｌ）にあるラッチバーＬ１の先端を衝打するように作動することで、ラッチバーＬ１を開錠位置側へスライド移動させる。【選択図】図１
2010222965.tif 000002
【特許請求の範囲】
【請求項１】
ラッチバー（Ｌ１）の受け金具（Ｌ３）へのスライド動作のみによって施錠するスライドラッチ錠の受け金具（Ｌ３）側に取り付けられ、
振動を感知したとき、施錠位置（Ｌ）にあるラッチバー（Ｌ１）の先端を衝打するように作動することで、ラッチバー（Ｌ１）を開錠位置（Ｕ）側へスライド移動させるものであって、
ラッチバー（Ｌ１）への衝打部（１１）を先端に有し、スライドラッチ錠のラッチバー（Ｌ１）の施錠位置（Ｌ１）よりもスライド方向前方の位置から、スライドラッチ錠の受け金具（Ｌ３）内に入り込む位置までスライド移動しうる作動部材（１）と、
作動部材（１）の前記スライド移動方向に沿って設けられた板辺部分であってラック歯（１２ｔ）が連続配設されたラック部（１２）と、
前記ラック部に歯合するピニオン歯車（２１）を一端側に有し、係止歯（２３ｔ）が周設された係止歯車（２３）を他端側の同軸上に有した作動シャフト（２）と、
作動シャフト（２）の周囲に巻回して作動シャフトを回転付勢しうるコイルばね（２２）と、
係止歯車（２３）に係止しうる係止フック（３２ｆ）と、
セット時にバランスを保って立設し、所定加速度の受振動ないし傾斜によって倒れるバランサー（４）と、
バランサー４が倒れることで係止フック（３２ｆ）を係止解除させる係止解除装置を具備してなることを特徴とする振動感知によるロック解除装置。
【請求項２】
作動シャフト（２）に固定され、作動シャフト（２）と共に回動するセット用のレバー（５１）と、バランサー（４）をセットしたときのレバー（５１）の位置を制限する制限板（６１）とを具備し、制限板（６１）によってレバー（５１）の移動範囲を制限することで、作動シャフト（２）のセット時の位相を予め設定した値以内に保つものである請求項１記載の振動感知によるロック解除装置。
【請求項３】
作動部材（１）は折り曲げて形成した板部材からなり、ラック部（１２）は、板部材の板面内の高さ方向中央位置にスライド方向に伸びる作動穴（１２ｈ）と、作動穴（１２ｈ）のスライド方向の少なくとも一辺に等間隔に離間形成されたラック歯（１２ｔ）とから構成され、
作動部材（１）の衝打部（１１）は、この作動穴（１２ｈ）の一側方へ突出形成され、衝打部の先端にラッチバー（Ｌ１）への対向板（１１Ｈ）が固定される請求項１記載の振動感知によるロック解除装置。
【請求項４】
作動穴（１２ｈ）は、衝打部（１１）側の側縁が衝打部（１１）側に湾曲した曲線からなる請求項３記載の振動感知によるロック解除装置。
【請求項５】
ドア（Ｄ）の開放辺に取り付けられ、スライド動作によって開放辺から突出した施錠位置に移動しうるラッチバー（Ｌ１）と、ドア（Ｄ）の開放辺側の枠部（Ｆ）に取り付けられ、スライド動作によって突出した前記ラッチバー（１）の一面を抑えて施錠状態を保持する受け金具（Ｌ３）と、受け金具（Ｌ３）のスライド方向先側の隣接位置に取り付けられた請求項１ないし４記載の振動感知によるロック解除装置からなり、作動時に衝打部（１１）がスライド移動によって施錠状態のラッチバー（１）に衝打して開錠状態とすることを特徴とするロック解除装置付き錠。
【発明の詳細な説明】
【技術分野】
【０００１】
本発明は、地震等の振動を感知して、扉に取り付けられたスライド式の錠のロックを自動的に解除する、振動感知によるロック解除装置及びこれを備えたロック解除装置付き錠に関する。
【背景技術】
【０００２】
従来、対震扉として、地震により扉や扉枠が一定以上変形した場合に、扉のロックを自動的に解錠するとともに、扉と扉枠との衝撃を扉の開力に変換して扉が自動的に開くようにするものが開示される（例えば特許文献１参照）。これは錠箱を錠箱移動装置により解錠方向に後退可能に設ける一方、前記扉枠２の内周部に突片を扉側に向けて突設し、かつ前記扉側に前記突片に対向して第１縦連杆、第１横連杆などの衝合部材を設ける。地震が発生して前記扉枠や扉が変形した場合には、前記突片と衝合部材との接触による前記錠箱移動装置の作動により前記錠箱が後退し自動的に解錠するものである。
【０００３】
また従来、地震災害時の避難対応ドア装置として、地震災害時において枠体に面内変形が生じてもドア主体の開放が可能で、緊急避難路を確保できる地震災害時避難用ドア装置が開示される（例えば特許文献２参照）。これは建築物と一体の枠体によって形成した出入口に、外周枠で囲まれ、且つボルト出没形式の施錠装置を具備したドア主体を開閉自在に取り付けた建築物用の金属製横開きドア装置に設置されるものであり、枠体が内周面と戸当り面を形成する段部を持ち、前記外周枠と前記内周面によって形成する間隙のうち、開閉側縁部側の間隙を他部位の間隙より広く確保し、該間隙には外周枠に装着した弾性シール部材を介装し、かつドア主体の開閉側縁部の外面に前記間隙を覆うツバ部を形成して、さらに施錠装置のボルトを嵌入するために枠体に形成したボルト嵌入孔の開口端を内周面より突出させて外周枠に接近させたものである。
【先行技術文献】
【特許文献】
【０００４】
【特許文献１】特開平９−２５７５４号公報
【特許文献２】特願平１０−３１１１８５号公報
【発明の概要】
【発明が解決しようとする課題】
【０００５】
しかしながら、前記のような避難対応ドア装置は、ドアの変形時にも開錠可能状態を確保するために、あらかじめ特殊な枠体や副枠体をドアに組み込んで設置しておく必要があり、ドア自体を交換しなければならず、設置の手間やコストが嵩むものであった。
【０００６】
また前記のような、錠箱移動装置の作動が電気信号に基づいて作動する対震扉は、地震等の際に電気配線の切断や電気的な接触不良が生じた場合など、非常時に確実に作動しない可能性がある。
【０００７】
そこで本発明は、ドア自体を特殊なものに交換することなく、既存のドアの錠付近に取り付けることで、設置のための大きな手間やコストをかけずに設置可能であり、また振動検知時に確実に作動することのできる振動感知によるロック解除装置、あるいはこれを備えた錠を提供することを課題とする。
【課題を解決するための手段】
【０００８】
上記課題を解決すべく本発明では以下（１）〜（５）の構成を採用する。
【０００９】
（１）すなわち、本発明の振動感知によるロック解除装置は、
ラッチバーＬ１の受け金具Ｌ３へのスライド動作のみによって施錠するスライドラッチ錠の受け金具Ｌ３側に取り付けられ、
振動を感知したとき、施錠位置（Ｌ）にあるラッチバーＬ１の先端を衝打するように作動することで、ラッチバーＬ１を開錠位置（Ｕ）側へスライド移動させるものであって、
ラッチバーＬ１への衝打部１１を先端に有し、スライドラッチ錠のラッチバーＬ１の施錠位置（Ｌ１）よりもスライド方向前方の位置から、スライドラッチ錠の受け金具Ｌ３内に入り込む位置までスライド移動しうる作動部材１と、
作動部材１の前記スライド移動方向に沿って設けられた（直線状または円弧状の）板辺部分（外辺部または（作動穴１２ｈの）内辺部）であってラック歯１２ｔが連続配設されたラック部１２と、
前記ラック部に歯合するピニオン歯車２１を一端側に有し、係止歯２３ｔが周設された係止歯車２３を他端側の同軸上に有した作動シャフト２と、
作動シャフトの周囲に巻回して作動シャフトを回転付勢しうるコイルばね２２と、
係止歯車２３に係止しうる係止フック３２ｆと、
セット時にバランスを保って立設し、所定加速度の受振動ないし傾斜によって倒れるバランサー４と、
バランサー４が倒れることで係止フック３２ｆを係止解除させる係止解除装置を具備してなることを特徴とする。
【００１０】
振動感知時には、所定加速度の受振動ないし傾斜によってバランサー４が倒れて係止フック３２ｆが係止解除され、コイルばね２２で回転付勢されていた作動シャフト２が回転作動し、作動シャフト２の一端側のピニオン歯車２１の回転によってラック部１２が移動するのに伴って作動部材１が付勢力を持ってスライド移動し、
作動部材１の先端の衝打部１１が、施錠位置Ｌ１にあるラッチバーＬ１の先端を衝打して開錠位置Ｕに移動させることで、スライドラッチ錠のロックを解除する。
【００１１】
すべて機械的動作によって行われ、電気信号の伝達を必要としない。また、作動部材１のラックアンドピニオン機構を介して、コイルばねによる付勢力を作動部材１の衝打力に直接変換するため、力のロスが少ない。これらにより非常時の確実な開錠動作を確保することができる。
【００１２】
また、スライドラッチ錠の受け金具Ｌ３側に取り付けて設置するだけでよく、既存のスライドラッチ錠設備に取り付けることもできる。あらかじめ錠やドアに組み込む必要がないため、設置の手間やコストを抑えることができる。
【００１３】
（２）前記振動感知によるロック解除装置において、作動シャフト２に固定され、作動シャフト２と共に回動するセット用のレバー５１と、バランサー４をセットしたときのレバー５１の位置を制限する制限板６１とを具備し、制限板６１によってレバー５１の過度の移動を制限することで、作動シャフト２のセット時の位相（回転角度）を予め設定した値以内に保つことが好ましい。
【００１４】
（３）前記いずれかの振動感知によるロック解除装置において、作動部材１は折り曲げて形成した板部材からなり、ラック部１２は、板部材の板面内の高さ方向中央位置にスライド方向に伸びる作動穴１２ｈと、作動穴１２ｈのスライド方向の少なくとも一辺に等間隔に離間形成されたラック歯１２ｔとから構成され、
作動部材１の衝打部１１は、この作動穴１２ｈの一側方へ突出形成され、衝打部の先端にラッチバーＬ１への対向板１１Ｈが固定されることが好ましい。
【００１５】
（４）前記（３）の振動感知によるロック解除装置において、作動穴１２ｈは、衝打部１１側の側縁が衝打部１１側に湾曲した曲線からなることが好ましい。
【００１６】
（５）本発明のロック解除装置付き錠は、ドアの開放辺に取り付けられ、スライド動作によって開放辺から突出した施錠位置に移動しうるラッチバー（Ｌ１）と、ドアの開放辺側の枠部に取り付けられ、スライド動作によって突出した前記ラッチバーの一面を抑えて施錠状態を保持する受け金具（Ｌ３）と、受け金具のスライド方向先側へ隣接した位置に取り付けられた前記（１）ないし（４）のいずれか記載の振動感知によるロック解除装置からなり、作動によって衝打部１１が受け金具内にスライド移動することで、衝打部（１１）が施錠状態のラッチバーをスライド位置に移動させることを特徴とする。
【発明の効果】
【００１７】
上記手段を講じることで、本発明の振動感知によるロック解除装置は、ドア自体を特殊なものに交換することなく既存のドアの錠付近に取り付けることができ、したがって設置のための大きな手間やコストをかけずに設置可能である。また電気信号伝達を行わない完全機械式の作動機構からなるため、振動検知時に確実に作動することができ、したがって非常時の作動の信頼性が高いものとなっている。
【図面の簡単な説明】
【００１８】
【図１】本発明の実施例１の振動感知によるロック解除装置における第一係止状態の作動部材１周辺の構成を示す正面視説明図。
【図２】実施例１の第一係止状態の係止解除装置周辺の構成を示す正面視説明図。
【図３】実施例１の第二係止状態の係止解除装置周辺の構成を示す正面視説明図。
【図４】実施例１の第三係止状態（セット時の状態）の係止解除装置周辺の構成を示す正面視説明図。
【図５】実施例１の係止解除状態（作動後の状態）の係止解除装置周辺の構成を示す正面視説明図。
【図６】実施例１の係止解除状態（作動後の状態）の作動部材１周辺の構成を示す正面視説明図。
【図７】本発明の実施例２の振動感知によるロック解除装置における第一係止状態の作動部材１周辺の構成を示す正面視説明図。
【図８】実施例２のセット状態の作動部材１周辺の構成を示す正面視説明図。
【図９】実施例２のセット状態の係止解除装置周辺の構成を示す正面視説明図。
【図１０】実施例２の開錠状態（作動後の状態）の作動部材１周辺の構成を示す正面視説明図。
【図１１】実施例２の一次セット状態（作動前の状態）の平面視説明図。
【図１２】実施例２の作動後の状態の平面視説明図。
【図１３】実施例２の施錠（一次セット状態）状態の構成を示す側面視説明図。
【図１４】実施例２の作動状態（開錠の状態）の構成を示す側面視説明図。
【図１５】実施例２のバランサーの構成を示す正面視説明図。
【図１６】実施例３のバランサーの構成を示す正面視説明図。
【発明を実施するための形態】
【００１９】
以下、本発明を実施するための形態例を、実施例として示す各図とともに説明する。図１〜７は実施例１の振動感知によるロック解除装置およびこれを備えた錠の各状態を示す。
【００２０】
本発明の振動感知によるロック解除装置は少なくとも、
ラッチバーＬ１の先側に配置され、ラッチバーＬ１のスライド方向にそってスライド移動しうる作動部材１と、
両周り回転可能に支持され、周囲に巻かれたコイルばね２２によって回転力を付勢される作動シャフト２と、
作動シャフト２の一端側に固設され、作動部材１のラック部に歯合するピニオン歯車２１と、
作動シャフト２の他端側に固設された係止歯車２３と、
係止歯車２３に係止しうる係止フック３２ｆと、
感振または傾斜によって倒れるバランサー４と、
バランサー４が倒れることで係止フック３２ｆを係止解除させるように連動動作する係止解除装置とを具備する。以下、各実施例の構成につき詳述する。
【実施例１】
【００２１】
（スライドラッチ錠）
本発明で使用するスライドラッチ錠は、ドアの開放辺に取り付けられ、スライド動作によって開放辺から突出した施錠位置に移動しうるラッチバー（Ｌ１）と、ドアの開放辺側の枠部に取り付けられ、スライド動作によって突出した前記ラッチバーの一面を抑えて施錠状態を保持する受け金具（Ｌ３）とから構成される。本発明の錠は、このスライドラッチ錠と振動感知による振動感知によるロック解除装置とを組み合わせたものからなる。本発明の振動感知によるロック解除装置は、受け金具のスライド方向先側へ隣接した位置に取り付けられてなり、作動によって衝打部１１が受け金具内にスライド移動することで、衝打部（１１）が施錠状態のラッチバーをスライド位置に移動させる。また、既存のスライドラッチ錠の受け金具Ｌ３側に取り付けて設置するだけでよく、既存のスライドラッチ錠設備に取り付けることもできる。
【００２２】
（実施例１の振動感知によるロック解除装置）
そして本発明の実施例１の振動感知によるロック解除装置は、ラッチバーＬ１の受け金具Ｌ３へのスライド動作のみによって施錠するスライドラッチ錠の受け金具Ｌ３側に取り付けられ、
振動を感知したとき、施錠位置（Ｌ）にあるラッチバーＬ１の先端を衝打するように作動することで、ラッチバーＬ１を開錠位置（Ｕ）側へスライド移動させるものであって、
ラッチバーＬ１への衝打部１１を先端に有し、スライドラッチ錠のラッチバーＬ１の施錠位置（Ｌ１）よりもスライド方向前方の位置から、スライドラッチ錠の受け金具Ｌ３内に入り込む位置までスライド移動しうる作動部材１と、
作動部材１の前記スライド移動方向に沿って設けられた（直線状または円弧状の）板辺部分（外辺部または（作動穴１２ｈの）内辺部）であってラック歯１２ｔが連続配設されたラック部１２と、
前記ラック部に歯合するピニオン歯車２１を一端側に有し、係止歯２３ｔが周設された係止歯車２３を他端側の同軸上に有した作動シャフト２と、
作動シャフトの周囲に巻回して作動シャフトを回転付勢しうるコイルばね２２と、
係止歯車２３に係止しうる係止フック３２ｆと、
セット時にバランスを保って立設し、所定加速度の受振動ないし傾斜によって倒れるバランサー４と、
バランサー４が倒れることで係止フック３２ｆを係止解除させる係止解除装置を具備してなる。
【００２３】
（作動部材１）
作動部材１は折り曲げて形成した板部材からなり、側方に突出形成された衝打部１１と、板面中央に穴状に形成されたラック部１２と、ラック部の上下にてスライド方向に沿う穴状に形成されたスライドレール機構１３とを有する。
【００２４】
ラック部１２は、板部材の板面内の高さ方向中央位置にスライド方向に伸びる作動穴１２ｈと、作動穴１２ｈのスライド方向の少なくとも一辺に等間隔に離間形成されたラック歯１２ｔとから構成される。作動穴１２ｈは、衝打部１１側の側縁が衝打部１１側に湾曲した曲線からなる。このような作動穴の形状とすることで、作動部材の強度を確保すると共に、半ロック状態からロック状態に確実に移行するためのラック部の移動距離の遊び部を稼ぐことができる。
【００２５】
衝打部１１は、この作動穴１２ｈの一側方へ突出形成され、衝打部の先端にラッチバーＬ１への対向板１１Ｈが固定される。
【００２６】
スライドレール機構１３はレール穴１３ｈに、折曲板状のレール板ｔが突入することで構成される。
【００２７】
（係止解除装置）
係止解除装置は、
バランサーが傾いて倒れることで、バランサーの下部に繋げたチェーンを介して内部係止板の係止を解除して、係止フック３２ｆを先端に有する係止レバーを上方へ回転させて係止フック３２ｆを係止解除する装置である。具体的には、
係止フック３２ｆを先端側に有して基端側の回転軸を中心に回転するフックバー３２と、
フックバー３２の内部でフックバーと同じ位置の回転軸を基端側の中心として回転し、非係止状態にある係止フック３２ｆと共に先端側が下方移動する内部バーと、
内部バーの先端側にてバーの幅方向へ略水平に設けられた内部フック３１ｆと、
フックバー３２の一側部（取り付け枠側の側部）に配置され、水平状態ないし傾斜状態に回動する内部係止板３１と、
内部係止板３１に内部形成され、内部フック３１ｆの先端が入り込んで孔内部の係止突起に係止しうる係止孔と、
フックバー３２の他側部（図１〜６の手前側の側部）に配置され、内部バーと共に移動すると共に、先端のロックスイッチ３３ｆの下方移動によって内部フック３１ｆを係止孔の係止突起に係止させる外部バー３３とを具備する。
フックバー３２はその内部の内部バーとの二重構造になっており、内部バーが回転軸よりも上方のフックスプリング３２ｓに繋がれており、フックスプリング３２ｓによって、係止時にフックバー３２の先端の係止フック３２ｆが上方へ移動する方向へ付勢し、解除時にはこの付勢力によって係止フック３２ｆが解除されるようになっている。
【００２８】
外部バー３３は先端側に湾曲板状のロックスイッチ３３ｆを有しており、内部バーと連動して移動すると共に、内部バーよりも下方に独立して移動可能に保持される。係止歯車の板面上から水平突出したロックバー２３付近にまで張り出して、ロックバー２３よりも表側にある非ロック状態、ないしロックバー２３よりも裏側にあるロック状態の２つの状態間を移動する。
外部バー３３は基端側が保持板３３０と回動可能に連結されると共に保持スプリング３３ｓに繋がれており、この保持スプリング３３によって、先端のロックスイッチ３３ｆがロック後の係止歯車のロックバー２３ｔを上方から下方付勢するようになっている。
【００２９】
（半ロック状態とロック状態）
係止歯車の板面上からロックバー２３が水平突出しており、このロックバー２３がロックスイッチ３３ｆよりも上方に近接した図２の状態が半ロック状態となる。このとき、係止フック３２ｆは係止歯車２３ｔと係止しているものの、解除装置の解除と連動する内部フック３１ｆが係止孔の係止突起に係止していないため（図２）、解除装置の動作によって確実に作動しない。この状態から先端のロックスイッチ３３ｆが図３のようにロックバー２３の下方に移動する途中で、内部フック３１ｆが係止孔の係止突起に係止する。
【００３０】
係止歯車の板面上からロックバー２３が水平突出しており、このロックバー２３がロックスイッチ３３ｆよりも下方に移動した図４の状態がロック状態となる。このとき、コイルばね２２の巻きあがり状態が適度なものに保たれ、長期間の保持によっても疲労したり破断したりすることがない一方、半ロック状態よりも強い解除時の付勢力を保つことができる。なおロック状態では図４に示すように、レバー５１の先端がケーシングの底板である制限板６１にぶつかって、レバー５１がそれよりも下方に移動することが制限される。
【００３１】
（レバー５１）
レバー５１は、作動シャフト２に固定され、作動シャフト２と共に回動するセット用の板状部材である。
バランサー４をセットしたときのレバー５１の位置は、制限板６１によって制限される。制限板６１によってレバー５１の過度の移動を制限することで、作動シャフト２のセット時の位相（回転角度）を予め設定した値以内に保つことができる。
レバー５１には、先端付近から紐材によって環状の操作ハンドル５２がつながれており、この操作ハンドル５２を下へ引き下ろすことで係止歯車が回転し、第一ないし第三係止状態まで、半ロック状態を経てロック状態に移行してセットされる。
【００３２】
（振動感知時の動作）
振動感知時には、所定加速度の受振動ないし傾斜によってバランサー４が倒れて係止フック３２ｆが係止解除され、コイルばね２２で回転付勢されていた作動シャフト２が回転作動し、作動シャフト２の一端側のピニオン歯車２１の回転によってラック部１２が移動するのに伴って作動部材１が付勢力を持ってスライド移動し、
作動部材１の先端の衝打部１１が、施錠位置Ｌ１にあるラッチバーＬ１の先端を衝打して開錠位置Ｕに移動させることで、スライドラッチ錠のロックを解除する。
【００３３】
すべて機械的動作によって行われ、電気信号の伝達を必要とせずに、作動部材１のラックアンドピニオン機構を介して、コイルばねによる付勢力を作動部材１の衝打力に直接変換する。このとき操作ハンドル５２はケーシング６の底板である制限板６２の下面に接触して、レバー５１の先端がこれ以上上方へ移動しないように制限される。このように制限板６１によってレバーの回転角度の範囲を制限することで、係止歯車２３のコイルばね２２による最適な回転付勢範囲を設定するものとしている。
【実施例２】
【００３４】
実施例２の振動感知によるロック解除装置は、実施例１と比較して、ラック部１２の作動孔１２ｈの形状、端ラック歯１２１ｔを含むラック歯１２ｔの配置、及び係止解除装置の構造が異なっており、係止解除装置が実施例１よりもコンパクトに構成されている。
また実施例２ではラック部１２及びスライドレール機構１３の上下及び正面を覆う三方枠からなるレールカバー１０が設けられており、作動シャフトがこのレールカバー１０より内側の内部シャフト２１０と外側（正面視手前側）の外部シャフト２３０とによって同軸一体的に構成されると共に、レールカバー１０の内面に接する内ナット２４、レールカバー１０の外面に接する外ナット２５のナット孔内を回転可能に挿通して保持される。そしてこの外ナット２５の外面から正面視手前側に向かって、外部シャフト２３０の周囲に巻回して作動シャフトを回転付勢しうるコイルばね２３０が設けられる。レールカバー１０にはこのコイルばね２３０の一端が挿入固定される固定孔１０ｈがシャフト軸周りに複数個設けられ、いずれかの固定孔１０ｈにコイルばね２３０の一端を選択して差し込むことで、コイルばね２３０のバネ反力を調整しうる。
【００３５】
また実施例２の係止歯車２３は、各係止歯２３ｔの歯頂部がコイルばね２３０の作動方向後方側へずれた片寄歯として形成されており、係止歯２３ｔは係止歯車２３の全周ではなく四分の三周の範囲のみに連側形成される。
【００３６】
実施例２のバランサー４は、扁平円柱形状の高質量の頭部４１の中央下方へ第一軸４２１が伸長し、段差部４３を経て第一軸よりも小径の第二軸４２２がさらに下方へ同軸伸長し、その下端に第一軸４２１よりも大径の張り出し板４４がナット４５によって固定される（図１５）。保持板３００Ｈに設けられた保持孔内を第二軸４２２が挿通し、段差部４３が水平の保持板３００Ｈ上に係止して保持される。また第二軸４２２の下部であって張り出し板４４寄りの位置には、第二軸４２２を貫通穴３４１ｈで水平に囲うスイッチ板３４１が中空支持される。なおこのスイッチ板３４１は側面方向へ折れ曲がったフック板３４２と一体的に構成され、フック板３４２の上部にてフック留め３４０で留められてこのフック留め３４０周りに回転可能に支持されている（図１３、図１４）。
フック板３４２は水平のアームフック３５ｆを係止させるための切り欠き部を正面視手前方向縁に有し、切り欠き部下端は係止突起３４Ｈが形成されている。アームフック３５ｆは、側面に沿って形成され、正面市奥側の支持部を中心として回動可能な作動アーム３５の正面視手前側にある先端部の一側面に立設して片持ち水平に形成される。作動アーム３５はアームバネ３５ｓによって、先端部が下方へ回動する方向へ付勢されており、フック板３４２の係止突起３４Ｈ上に係止支持された状態で一次セットされる。
【００３７】
そして作動アーム３５の先端下方には、係止歯車２３に先端係止する係止フック３２の基端側に連なるフックバー３２０が上下移動可能に支持されている。このフックバー３２０は、作動アーム３５を押し上げて、前記一次セットの状態に移行させる一次セットのための操作部となっている。
【００３８】
そして振動感知時にはバランサー４が倒れ、この保持孔周囲にて段差部４３の一部が浮いた傾斜状態となる。このとき、張り出し板４４がスイッチ板３４１を下方から押し上げることでスイッチ板３４１はフック留め３４０を中心にして回動し、係止突起３４Ｈ上に係止されたアームフック３５ｆの係止を解除する。するとアームバネ３５ｓで付勢されているアームフック３５ｆの先端が、フックバー３２０を上から衝打して、フックバネ３２ｓを介して軸支された係止フック３２を上方へ移動させる。すると係止歯車２３に係止していた係止フック３２のフックバー３２ｆが係止解除され、コイルばね２３０のバネ反力によって作動シャフトが回転駆動する。
そして作動シャフト２の一端側のピニオン歯車２１の回転によってラック部１２が移動するのに伴って作動部材１が付勢力を持ってスライド移動し、作動部材１の先端の衝打部１１が、施錠位置Ｌ１にあるラッチバーＬ１の先端を衝打して開錠位置Ｕに移動させることで、スライドラッチ錠のロックを解除する。
【００３９】
その他、各部の具体的な構成は、上述した実施例に限定されるものでなく、本発明の趣旨を逸脱しない範囲で種々の変形が可能である。例えば図１６に示すように、実施例２のバランサーに変わる実施例３のバランサー４として、段差部４３をテーパー形成し、第二軸部４２２及び張り出し板４４が一体成形された平頭ビスからなり、基軸４２０の下端に形成された小径の第一軸４２１の下面にねじ込み固定されるものとしてもよい。
【符号の説明】
【００４０】
１  作動部材
１１  衝打部
１１Ｈ  対向板
１２  ラック部
１２ｈ  作動穴
１２ｔ  ラック歯
２  作動シャフト
２１  ピニオン歯車
２２  コイルばね
２３  係止歯車
２３ｆ  係止フック
２３ｔ  係止歯
４  バランサー
５１  レバー
６１  制限板
Ｌ１  ラッチバー
Ｌ２  バー枠
Ｌ３受け金具
（Ｌ）施錠位置
（Ｕ）開錠位置
【図１】
2010222965.tif 000003
【図２】
2010222965.tif 000004
【図３】
2010222965.tif 000005
【図４】
2010222965.tif 000006
【図５】
2010222965.tif 000007
【図６】
2010222965.tif 000008
【図７】
2010222965.tif 000009
【図８】
2010222965.tif 000010
【図９】
2010222965.tif 000011
【図１０】
2010222965.tif 000012
【図１１】
2010222965.tif 000013
【図１２】
2010222965.tif 000014
【図１３】
2010222965.tif 000015
【図１４】
2010222965.tif 000016
【図１５】
2010222965.tif 000017
【図１６】
2010222965.tif 000018